(57)【要約】  【課題】  スクリーンの取り外し時に、巻取パイプが不用意に回転することを防ぎ、交換作業を作業者が安心して快適に行うことができるようにするロールスクリーンを提供する。  【解決手段】  巻取パイプに内蔵した巻取スプリングの蓄勢力によってスクリーンを巻取可能なロールスクリーンにおいて、巻取スプリングの一端をサイドプレート１４に固定する固定状態と、サイドプレート１４に対して解放する固定解除状態とに切り換える切換手段としてのラチェット部材２８とレバー部材３０とを有する。ラチェット部材２８のラチェット歯２８ｂは、巻取スプリング２０の一端２０ａに相対回転不能に連結されるベース２６のギヤ２６ｃに噛み合い、またはギヤ２６ｃから離反することができ、切換手段は、巻取スプリングの一端を前記固定状態と固定解除状態とを保持可能となっている。【選択図】  図６
2006225992.tif 000002
【特許請求の範囲】
【請求項１】
巻取パイプ（１６）に内蔵した巻取スプリング（２０）の蓄勢力によってスクリーン（１８）を巻取可能なロールスクリーンにおいて、
巻取スプリング（２０）の一端（２０ａ）は巻取パイプ（１６）の側部に配置した支持手段（１４、３２）に固定可能で、巻取スプリング（２０）の他端は巻取パイプ（１６）に連結されており、
支持手段（１４、３２）による巻取スプリング（２０）の一端（２０ａ）の固定を解除した状態に保持することによって、巻取パイプ（１６）を回転させることなく、巻取スプリング（２０）に付与された蓄勢力を解放可能であることを特徴とするロールスクリーン。
【請求項２】
前記巻取スプリング（２０）の一端（２０ａ）と支持手段（１４、３２）との間に、前記巻取スプリング（２０）の一端（２０ａ）を支持手段（１４、３２）に固定する固定状態と、支持手段に対して解放する固定解除状態とに切り換える切換手段（２８、３０）が設けられ、
前記切換手段（２８、３０）は、前記巻取スプリング（２０）の一端（２０ａ）の前記固定状態と固定解除状態とを保持可能であることを特徴とする請求項１記載のロールスクリーン。
【請求項３】
前記支持手段（１４、３２）に対して相対回転可能に設けられたベース（２６）を有し、該ベース（２６）が支持手段（１４、３２）に対して回転するときに、巻取スプリング（２０）の一端（２０ａ）がベース（２６）と共に回転することを特徴とする請求項２記載のロールスクリーン。
【請求項４】
前記切換手段（２８、３０）が巻取スプリング（２０）の一端（２０ａ）を固定状態とするときに、前記ベース（２６）は、支持手段（１４、３２）に対して巻取スプリング（２０）に蓄勢力を付加する方向にのみ回転可能に設けられる、ことを特徴とする請求項３記載のロールスクリーン。
【請求項５】
前記切換手段（２８、３０）とベース（２６）とは、ラチェット機構（２６ｃ、２８ｂ）によって係合されることを特徴とする請求項３または４記載のロールスクリーン。
【請求項６】
前記切換手段（２８、３０）は、弾性変形可能な弾性変形部分（２８ａ）を有し、非変形状態と弾性変形状態との間の変更によって、前記スプリング（２０）の一端（２０ａ）の固定状態と固定解除状態とを切り換えることを特徴とする請求項２ないし５のいずれか１項に記載のロールスクリーン。
【請求項７】
前記切換手段（２８、３０）は支持手段（１４、３２）と干渉可能となった操作部分（３０）を有し、操作部分（３０）の支持手段（１４、３２）との干渉によって、前記固定状態と固定解除状態とをそれぞれ保持することを特徴とする請求項２ないし６のいずれか１項に記載のロールスクリーン。
【発明の詳細な説明】
【技術分野】
【０００１】
本発明は、巻取パイプに内蔵した巻取スプリングの蓄勢力によってスクリーンを巻取可能なロールスクリーンに関する。
【背景技術】
【０００２】
従来、この種のロールスクリーンとしては、特許文献１に記載されたものが知られている。このロールスクリーンは、サイドプレートによって両端を回転可能に支持された巻取パイプ内に巻取スプリングを収容し、巻取スプリングの蓄勢力によってスクリーンを巻取るようにしており、その初巻き調整装置が、サイドプレートに設けた開口から一端が露出されるようにサイドプレートに取り付けられた調整ドラムと、調整ドラムの外周に取り付けられる調整ダイヤルと、巻取スプリングに一端が連結されて調整ドラムの回転を巻取スプリングに伝達可能な駆動ドラムと、調整ダイヤルの内周に設けられて巻取スプリング側から調整ドラムへの回転の伝達を阻止するクラッチバネと、からなる。
【０００３】
これによれば、調整ドラムまたは調整ダイヤルのいずれかを操作することによって、スクリーンが上限位置まで巻き上げられた状態における巻取スプリングの蓄勢力を決める初巻を調整することができる。即ち、調整ドラムまたは調整ダイヤルを回転すると、クラッチバネが弛み、駆動ドラムを回転させることができるので、これによって、巻取スプリングの一端が回転されて、初巻を調整することができるようになる。
【０００４】
【特許文献１】特許第３３９３０４７号公報
【発明の開示】
【発明が解決しようとする課題】
【０００５】
このようなロールスクリーンのスクリーンの交換または洗濯をするために、スクリーンを取り外す際には、一度スクリーンを下限位置まで降ろして巻取パイプからスクリーンを完全に巻解き、そこで、ストッパーを作動させて巻取パイプの回転を停止させ、この状態でスクリーンを巻取パイプから取り外すことができる。しかしながら、この際に、万一、ストッパーが解除されてしまうと、巻取スプリングの蓄勢力で巻取パイプが高速回転するため、作業者に不快感を与えてしまう、という問題がある。
【０００６】
また、ロールスクリーンを窓枠等の設定面から取り外してスクリーンを引出すようにすると、製品サイズが大きいものになると、ストッパーが作動していても巻取スプリングの蓄勢力が大きいためその反発力によってサイドプレートが取り付けられるセットフレームの一端側が回転させられ、セットフレームが捻れた状態となってスクリーンの交換作業が困難になる、という問題がある。
【０００７】
本発明はかかる課題に鑑みなされたもので、スクリーンの取り外し時に、巻取パイプが不用意に回転することを防ぎ、交換作業を作業者が安心して快適に行うことができるようにするロールスクリーンを提供することをその目的とする。
【課題を解決するための手段】
【０００８】
前述した目的を達成するために、請求項１記載の発明は、巻取パイプに内蔵した巻取スプリングの蓄勢力によってスクリーンを巻取可能なロールスクリーンにおいて、
巻取スプリングの一端は巻取パイプの側部に配置した支持手段に固定可能で、巻取スプリングの他端は巻取パイプに連結されており、支持手段による巻取スプリングの一端の固定を解除した状態に保持することによって、巻取パイプを回転させることなく、巻取スプリングに付与された蓄勢力を解放可能であることを特徴とする。
【０００９】
請求項２記載の発明は、請求項１記載の前記巻取スプリングの一端と支持手段との間に、前記巻取スプリングの一端を支持手段に固定する固定状態と、支持手段に対して解放する固定解除状態とに切り換える切換手段が設けられ、
前記切換手段は、前記巻取スプリングの一端の前記固定状態と固定解除状態とを保持可能であることを特徴とする。
【００１０】
請求項３記載の発明は、請求項２記載の前記支持手段に対して相対回転可能に設けられたベースを有し、該ベースが支持手段に対して回転するときに、巻取スプリングの一端がベースと共に回転することを特徴とする。
【００１１】
請求項４記載の発明は、請求項３記載の前記切換手段が巻取スプリングの一端を固定状態とするときに、前記ベースは、支持手段に対して巻取スプリングに蓄勢力を付加する方向にのみ回転可能に設けられる、ことを特徴とする。
【００１２】
請求項５記載の発明は、請求項３または４記載の前記切換手段とベースとが、ラチェット機構によって係合されることを特徴とする。
【００１３】
請求項６記載の発明は、請求項２ないし５のいずれか１項に記載の前記切換手段が、弾性変形可能な弾性変形部分を有し、非変形状態と弾性変形状態との間の変更によって、前記スプリング一端の固定状態と固定解除状態とを切り換えることを特徴とする。
【００１４】
請求項７記載の発明は、請求項２ないし６のいずれか１項に記載の前記切換手段が支持手段と干渉可能となった操作部分を有し、操作部分の支持手段との干渉によって、前記固定状態と固定解除状態とをそれぞれ保持することを特徴とする。
【発明の効果】
【００１５】
本発明によれば、巻取スプリングの一端を固定解除状態に保持することができるために、この固定解除状態において、巻取スプリングの一端を解放してその蓄勢力を完全に解除することができる。蓄勢力を完全に解除した状態では巻取パイプが意図せずに回転することはないので、安心してスクリーンの交換作業を行うことができる。また、固定解除状態では、巻取パイプを回転させても巻取スプリングに蓄勢力が付加されないために、巻取パイプを自由に回転させながら、スクリーンの交換作業を行うことができる。交換作業後に、巻取スプリングの一端を固定状態にすることで、元の状態に戻すことができる。
【００１６】
こうして、スクリーンの交換作業を、巻取パイプを設定面に取り付けたままで簡単に行うことができるようになる。
【００１７】
請求項２記載の発明によれば、巻取スプリングの一端の固定状態と固定解除状態とを切り換える切換手段が、それらの状態を保持することができるので、巻取スプリングの一端を解放してその蓄勢力を完全に解除したままとすることができる。または、巻取スプリングの一端を固定して、通常のロールスクリーンの動作をさせることができる。
【００１８】
請求項３記載の発明によれば、初巻の設定及び調整を行う際に、ベースを支持手段に対して回転することで、巻取スプリングの一端が回転するために、初巻を付与することができるようになる。
【００１９】
請求項４記載の発明によれば、巻取スプリングの一端が固定状態にある場合であっても、ベースは支持手段に対して巻取トルクを付加する方向にのみ回転可能となっているため、その方向にベースを回転することにより、巻取スプリングの一端を回転させて、初巻を付与することができる。また、通常のロールスクリーンの作動時に、巻取スプリングの蓄勢力がベースに作用したとしても、ベースは巻取スプリングに蓄勢力を付加する方向にしか回転できないため、ベース及び巻取スプリングの一端は勝手に回転することがない。
【００２０】
請求項５記載の発明によれば、上記構成をラチェット機構によって実現することができる。ラチェット機構により、初巻付与作業の際に所定角度回転毎の音やクリック感を作業者に与えることもできる。
【００２１】
請求項６記載の発明によれば、切換手段の弾性変形部分の非変形状態と弾性変形状態とによって、切換動作を再現性良く実現することができる。
【００２２】
請求項７記載の発明によれば、支持手段と切換手段の操作部分との干渉によって、切換手段が前記固定状態と固定解除状態とを保持することができるようになる。
【発明を実施するための最良の形態】
【００２３】
以下、図面を用いて本発明の実施の形態を説明する。
【００２４】
図１は本発明の実施形態にかかるロールスクリーンの全体正面図及び図２はその一端部を表す断面図である。
【００２５】
図において、ロールスクリーン１０は、窓枠等の設定面に固定されるセットフレーム１２に取り付けられる一対のサイドプレート１４と、一対のサイドプレート１４によって両端を回転可能に支持された巻取パイプ１６と、巻取パイプ１６に一端が連結され、巻取パイプ１６に巻取り・巻解き可能に吊り下げられるスクリーン１８と、を備えている。
【００２６】
巻取パイプ１６にはコイル状の巻取スプリング２０が内蔵されており、巻取スプリング２０は、その一端２０ａが初巻調整装置２２を介してサイドプレート１４に固定され、その他端は図示しないが巻取パイプ１６の内周面に連結される。巻取パイプ１６がスクリーン巻解き方向に回転されると、巻取スプリング２０の他端が巻取パイプ１６と一体に回転して蓄勢され、巻取パイプ１６の巻取方向への回転が許容されると、巻取スプリング２０の蓄勢力によって巻取パイプ１６が巻取方向へと回転し、スクリーン１８を巻取ることができる。
【００２７】
尚、巻取パイプ１６の他端部には、ストッパーが内蔵されており、巻取パイプ１６の回転の停止と許容の切換を行うことができるようになっている。
【００２８】
初巻調整装置２２は、巻取スプリング２０の一端２０ａが取り付けられるプラグ２１に相対回転不能に連結されるシャフト２４と、シャフト２４に相対回転不能に連結されるベース２６と、ベース２６の回転を制御する切換手段を構成するラチェット部材２８及びレバー部材３０と、ベース２６を回転可能に軸支するケース３２と、を有する。
【００２９】
ケース３２はサイドプレート１４に一体的に固定されるもので、その上部に、サイドプレート１４にネジ止めされるための取付孔３２ａ（図６参照）が形成されており、その下端には、サイドプレート１４の開口１４ａに係止される係止爪３２ｂが形成されている。ケース３２とサイドプレート１４とで支持手段が構成される。そして、ケース３２の中心孔３２ｃをベース２６が貫通している。
【００３０】
ベース２６は、ケース３２の中心孔３２ｃと、サイドプレート１４の第２開口１４ｂとを貫通する軸部２６ｄを有しており、軸部２６ｄはこれら支持手段３２、１４に回転可能に軸支される。ベース２６の一端は、サイドプレート１４の第２開口１４ｂから露出する露出面２６ａとなっており、露出面２６ａにはドライバ等の汎用工具が嵌合することができるようになっており、さらにベース２６の回転量の目安としての目印部２６ｅが設けられている。また、ベース２６の軸部２６ｄの他端は、シャフト２４に断面方形ピン３３によって回転不能に連結され、シャフト２４を介して巻取スプリング２０の一端に相対回転不能に連結される。また、図４に示したように、ベース２６は、外径方向に伸張された鍔部２６ｂを有しており、鍔部２６ｂの内周面にはギヤ２６ｃが形成されている。
【００３１】
ラチェット部材２８は、ベース２６の鍔部２６ｂとサイドプレート１４との間に配設され、その中央にベース２６の軸部２６ｄが貫通するリング部２８ａが形成されている。ラチェット部材２８は、軟質の合成樹脂で構成され、リング部２８ａは弾性変形自在な弾性変形部分となっている。そして、ベース２６の鍔部２６ｂの対向面には、鍔部２６ｂのギヤ２６ｃに噛み合い可能にラチェット歯２８ｂが形成されている。
【００３２】
即ち、これらの鍔部２６ｂのギヤ２６ｃとラチェット部材２８のラチェット歯２８ｂによってラチェット機構が構成され、このラチェット機構によって、ラチェット部材２８とベース２６とは係合する。通常時のリング部２８ａが自然状態である円形形状である場合には、ラチェット歯２８ｂはギヤ２６ｃに噛み合っており（図６（ａ）参照）、リング部２８ａが弾性変形状態の非円形形状である場合には、ラチェット歯２８ｂはギヤ２６ｃから離反している（図６（ｂ）参照）。
【００３３】
また、ラチェット部材２８の上端部には、レバー部材３０を軸着するための上軸部２８ｃが形成され、上軸部２８ｃは、ケース３２の上部の凹部３２ｄ（図４参照）に嵌め込まれている。また、ラチェット部材２８の下端部２８ｄは、ケース３２の下部の凹部３２ｅ（図４参照）に嵌め込まれている。よって、ラチェット部材２８は、ケース３２によって回転が禁止されている。
【００３４】
レバー部材３０は、ラチェット部材２８の上軸部２８ｃに揺動可能に軸着されて、サイドプレート１４の第３開口１４ｃからその自由端部３０ａが露出しており、作業者が操作可能な切換手段の操作部分を構成する。レバー部材３０の背面にはカム面３０ｂと段部３０ｃが形成されており、カム面３０ｂ及び段部３０ｃはサイドプレート１４の第３開口１４ｃの上縁部と干渉可能となっている。
【００３５】
サイドプレート１４には表示プレート３４が貼着されており、表示プレート３４にはベース２６の回転方向や回転回数を表示する表示部３４ａが印刷されており、作業者が初巻の設定を行う際には表示部３４ａにしたがって操作を行うようになっている。
【００３６】
以上のように構成されるロールスクリーン１０では、通常時、初巻調整装置２２において、ラチェット部材２８のラチェット歯２８ｂがベース２６のギヤ２６ｃに噛み合っており、従って、ラチェット部材２８によってベース２６の回転方向は一方向にのみ可能となっている。この回転可能な一方向は、巻取スプリング２０の蓄勢力を増加させる方向に対応しており、通常の操作の際には、巻取スプリング２０の一端２０ａから蓄勢力を解放する方向の回転がベース２６に作用するために、ベース２６は回転することはできないようになっている。こうして、ベース２６が回転できないために、巻取スプリング２０の一端２０ａも回転することはできず、従って、巻取スプリング２０の一端２０ａは固定状態に維持されている。
【００３７】
このロールスクリーン１０のスクリーン１２の取り外しを行なう際には、まず、巻取パイプ１６をサイドプレート１４に取り付けたままの状態で、切換手段であるレバー部材３０の自由端部３０ａを持上げて、揺動させる。これにより、レバー部材３０のカム面３０ｂがサイドプレート１４の第３開口１４ｃに干渉して、ラチェット部材２８の上軸部２８ｃを下方に押し下げる。すると、ラチェット部材２８のリング部２８ａは、図６（ｂ）に示すように変形し、ラチェット歯２８ｂがギヤ２６ｃから離反するために、ベース２６は自由に回転可能となる。揺動して第３開口１４ｃ及び凹部３２ｄ内でほぼ水平方向に向いたレバー部材３０は、第３開口１４ｃ内でラチェット部材２８から上方への付勢力を受け、第３開口１４ｃの上縁に押し付けられ、また、段部３０ｃが第３開口１４ｃの上縁に引っ掛かり、図３に示す姿勢を維持する。よってラチェット部材２８も変形した状態を維持する。
【００３８】
これにより、ベース２６は回転自在となり、巻取スプリング２０の一端の固定は解除された固定解除状態となるので、ベース２６及び巻取スプリング２０は、巻取スプリング２０の蓄勢力が解放される方向に回転し、巻取スプリング２０の蓄勢力を完全に解除することができるようになる。蓄勢力を完全に解除した状態では、巻取パイプ１６は意図せずに回転することはなく、同時に巻取パイプ１６の回転は自在となっているために、適宜巻取パイプ１６を回転させて、スクリーン１２を簡単に取り外すことができるようになる。巻取パイプ１６を回転させても、巻取スプリング２０には初巻が付与されないために、安心して快適にクリーンの交換作業を行うことができる。
【００３９】
スクリーン１２の交換が終了し、巻取パイプ１６にスクリーン１２を取付けてスクリーン１２を完全に巻取ると、次に、巻取スプリング２０の初巻の再設定を行う。そのためにまず、レバー部材３０を先と逆の方向に揺動して、図１に示すレバー部材３０が垂直方向を向いた姿勢に戻す。これにより、ラチェット部材２８のリング部２８ａは元の形状に復帰し、ラチェット歯２８ｂはギヤ２６ｃの一部に噛み合う。これによって、巻取スプリング２０の一端２０ａを固定状態に戻す。
【００４０】
次いで、ベース２６の露出面２６ａに工具を嵌合させて、表示部３４ａに示される所定の回転方向、つまりラチェット部材２８によって許容されるベース２６の回転方向にベース２６を回転させると、巻取スプリング２０の一端２０ａは、ベース２６と共に回転するので、巻取スプリング２０に蓄勢力が増加されて、よって、初巻を設定することができる。
【００４１】
このベース２６の回転操作の際に、表示部３４ａに示される初巻設定に必要な回転数を確認し、目印部２６ｅが１周する毎に作業者がベースの回転数をカウントすることによって、初巻設定に必要なベース２６の回転数を認識し易くなるとともに、ラチェット歯２８ｂとギヤ２６ｃとの噛み合いによっても、所定角度回転毎にクリック感や音が作業者に伝達されるために、初巻設定に必要なベース２６の回転数を認識し易くなる。
【００４２】
なお、万一ベース２６を初巻設定に必要な回転数以上に回転させてしまった場合には、ベース２６の露出面２６ａに工具を嵌合させてベース２６の回転を規制した状態で、レバー部材３０を再度揺動して、巻取スプリング２０の一端の固定が解除された固定解除状態とし、表示部３４ａに示される初巻を付与する方向とは逆の回転方向にベース２６を回転させ、必要量回転させたのち、レバー部材３０を先と逆の方向に揺動して、巻取スプリング２０の一端を固定状態に戻すことによって、回転数の調整を行うことができる。
【００４３】
以上のように、この実施形態では、一方向クラッチバネ等を使用せずに初巻調整装置２２を構成しており、巻取スプリングの一端の固定を解除する固定解除状態を維持することができるために、巻取パイプ１６を回転させることなく初巻の解除が可能となり、巻取パイプ１６のスクリーンの着脱作業を作業者に安心に快適に行わせることができるようになる。
【００４４】
尚、この実施形態では、支持手段をケース３２及びサイドプレート１４、切換手段をラチェット部材２８及びレバー部材３０で構成したが、これらの部材に限るものではなく、また、一部品で構成することも可能である。
【図面の簡単な説明】
【００４５】
【図１】本発明の実施形態にかかるロールスクリーンの全体正面図である。
【図２】図１のロールスクリーンの一端部の断面図である。
【図３】ロールスクリーンの一端部の要部の断面図であり、レバー部材が揺動された初巻解除時を表す。
【図４】ロールスクリーンの一端部の要部部品の展開斜視図である。
【図５】図１のロールスクリーンの部分側面図である。
【図６】サイドプレート及びレバー部材を省略したロールスクリーンの側方から見た動作説明図であり、（ａ）は通常作動時、（ｂ）は初巻解除時を表す。
【符号の説明】
【００４６】
１０  ロールスクリーン
１４  サイドプレート（支持手段）
１６  巻取パイプ
１８  スクリーン
２０  巻取スプリング
２０ａ  一端
２６  ベース
２６ｃ  ギヤ（ラチェット機構）
２８  ラチェット部材（切換手段）
２８ａ  リング部（弾性変形部分）
２８ｂ  ラチェット歯（ラチェット機構）  
３０  レバー部材（切換手段、操作部分）
３２  ケース（支持手段）
【図１】
2006225992.tif 000003
【図２】
2006225992.tif 000004
【図３】
2006225992.tif 000005
【図４】
2006225992.tif 000006
【図５】
2006225992.tif 000007
【図６】
2006225992.tif 000008